(57)【要約】【課題】ユーザ操作を要することなく、簡便な構成で受話音質の補正を行うことができる通話装置を提供する。【解決手段】受信装置において、受信信号に基づいて得られる音声信号をＦＦＴ変換し、所定の周波数帯域毎の音量レベルを求める演算手段（ステップ２６）と、所定の送信装置の各機種について、その機種の送信装置からの信号を受信して得られる音声信号が有するであろう前記周波数帯域毎の音量レベル、及びその音声信号の音質の補正に適した所定の音質補正値を、その機種の機種情報として予め記憶している記憶手段と、受信信号に基づいて得られる音声信号について演算手段が求める前記周波数帯域毎の音量レベルに基づき、その音声信号に対応する前記音質補正値を、各機種情報を参照して取得する手段（ステップ２７）とを設ける。【選択図】図２
2007184820.tif 000002
【特許請求の範囲】
【請求項１】
受信信号に基づいて得られる音声信号をＦＦＴ変換し、所定の周波数帯域毎の音量レベルを求める演算手段と、
所定の送信装置の各機種について、その機種の送信装置からの信号を受信して得られる音声信号が有するであろう前記周波数帯域毎の音量レベル、及びその音声信号の音質の補正に適した所定の音質補正値を、その機種の機種情報として予め記憶している記憶手段と、
受信信号に基づいて得られる音声信号について前記演算手段が求める前記周波数帯域毎の音量レベルに基づき、その音声信号に対応する前記音質補正値を、各機種情報を参照して取得する手段とを具備することを特徴とする受信装置。
【請求項２】
受信信号に基づいて求められる前記周波数帯域毎の音量レベルに対応する前記機種情報が、前記記憶手段において存在するか否かを判定する第１の判定手段と、
前記対応機種情報が存在する旨の判定がなされた場合に、受信信号に含まれる送信装置の識別情報を、その機種情報に対応付けて前記記憶手段に記憶する手段と、
受信信号に含まれる送信装置の識別情報が、前記記憶手段において存在するか否かを判定する第２の判定手段と、
前記送信装置の識別情報が存在する旨の判定がなされた場合に、その識別情報に対応する機種情報中の音質補正値を、受信信号に基づいて得られる音声信号の音質補正に使用することができる音質補正値として取得する手段とを有することを特徴とする請求項１に記載の受信装置。
【請求項３】
前記対応機種情報が存在する旨の判定がなされなかった場合には再度、前記演算手段により前記周波数帯域毎の音量レベルを求め、前記第１判定手段による判定を行う処理を所定の回数繰り返す手段を備え、その処理を該所定回数繰り返しても、前記対応機種情報が存在する旨の判定がなされなかった場合には、受信信号に基づいて得られる音声信号の音質の補正は行わないことを特徴とする請求項２に記載の受信装置。
【請求項４】
受信信号について得られる前記音質補正値に基づき、その受信信号に基づいて得られる音声信号の音質を補正する手段を有することを特徴とする請求項１〜３のいずれか１項に記載の受信装置。
【請求項５】
所定の送信装置の各機種について、その機種の送信装置からの信号を受信して得られる音声信号が有するであろう、所定の周波数帯域毎の音量レベル、及びその音声信号の音質の補正に適した所定の音質補正値を、その機種の機種情報として記憶手段に記憶させる工程と、
受信信号に基づいて得られる音声信号をＦＦＴ変換し、前記周波数帯域毎の音量レベルを求める演算工程と、
受信信号に基づいて求められる前記周波数帯域毎の音量レベルに対応する前記機種情報が、前記記憶手段において存在するか否かを判定する工程と、
前記対応機種情報が存在する旨の判定がなされた場合に、受信信号に含まれる送信装置の識別情報を、その機種情報に対応付けて前記記憶手段に記憶させるとともに、その機種情報中の音質補正値を、受信信号に基づいて得られる音声信号の音質補正に使用することができる音質補正値として取得する工程と、
受信信号に含まれる送信装置の識別情報が、前記記憶手段において存在するか否かを判定する工程と、
前記送信装置の識別情報が存在する旨の判定がなされた場合に、その識別情報に対応する機種情報中の音質補正値を、受信信号に基づいて得られる音声信号の音質補正に使用することができる音質補正値として取得する工程と、
受信信号に基づいて得られる音声信号の音質補正を、取得した音質補正値に基づいて行う工程とを具備することを特徴とする受信音声信号の補正方法。
【発明の詳細な説明】
【技術分野】
【０００１】
本発明は、受信信号に基づいて得られる音声信号についての音質の補正に使用することができる音質補正値を自動的に取得することができるようにした受信装置、及び該受信装置に適した受信音声信号の補正方法に関する。
【背景技術】
【０００２】
従来、電話機の受話音等における自動音質補正の手法としては、強度が低い周波数帯域を強調したり、強度が高い周波数帯域を弱めたりすることによって必要な帯域をフラットにするようにする手法が用いられている。たとえば特許文献１の受話音質自動補正回路においては、受話信号をリニア増幅器、低域増幅器、及び高域増幅器を通過させてから再度混合するとともに、その際、低域増幅器及び高域増幅器の出力を検出し、低域増幅器又は高域増幅器の出力が所定値より大きい場合はそれらの出力を減少させるようにしている。
【０００３】
また、利用者の好みの音質に調整する技術として、ＦＦＴ演算を用いたイコライザ装置が知られている。たとえば、特許文献２のイコライザ装置においては、入力オーディオ信号についてＦＦＴ解析を行って周波数帯域毎の信号レベルを検出し、これが、目標とする周波数特性に近づくように、入力オーディオ信号が通過する補正用フィルタの係数を制御するようにしている。目標とする周波数特性としては、ユーザの指示に基づき、ユーザの好みを反映したものが用いられる。
【０００４】
【特許文献１】特開平１０−２９４６２９号公報
【特許文献２】特開２００１−２９２４９１号公報
【発明の開示】
【発明が解決しようとする課題】
【０００５】
しかしながら、上述の受話音質自動補正回路やイコライザ装置によれば、回路構成が複雑になる。また、上述のイコライザ装置によれば、ユーザがまず自分の好みの音質を設定する必要があるので、ユーザにとっては手間がかかる。また、無線通信における受話の場合、明らかな音質の違いを違和感のない程度に補正できればよく、楽音等を聞く場合等のようにイコライザによるきめ細かな補正は必要としない。
【０００６】
本発明の目的は、このような従来技術の問題点に鑑み、ユーザ操作を要することなく、簡便な構成で受話音質の補正を行うことができる通話装置を提供することにある。
【課題を解決するための手段】
【０００７】
上記目的を達成するため、第１の発明に係る受信装置は、受信信号に基づいて得られる音声信号をＦＦＴ変換し、所定の周波数帯域毎の音量レベルを求める演算手段と、所定の送信装置の各機種について、その機種の送信装置からの信号を受信して得られる音声信号が有するであろう前記周波数帯域毎の音量レベル、及びその音声信号の音質の補正に適した所定の音質補正値を、機種情報として予め記憶している記憶手段と、受信信号に基づいて得られる音声信号について前記演算手段が求める前記周波数帯域毎の音量レベルに基づき、その音声信号に対応する前記音質補正値を、各機種情報を参照して取得する手段とを具備することを特徴とする。
【０００８】
この構成において、受信装置としては、たとえば有線又は無線の通話装置に使用されるものが該当する。所定の周波数帯域毎としては、たとえば、音声信号を３分割した場合の各周波数帯域毎が該当する。音質補正値としては、たとえば音声信号の音質をフィルタにより補正する場合におけるフィルタ係数についての補正値が該当する。
【０００９】
この構成において、受信信号に基づいて得られる音声信号について求められる所定の周波数帯域毎の音量レベルの比（又は分布）と同様の比を有する周波数帯域毎の音量レベルが、ある機種の機種情報として記憶手段中に登録されているとすれば、その機種が、受信信号を送信している送信装置の機種であることがわかる。したがって、その機種の機種情報として登録されている音質補正値を利用することにより、受信信号に基づいて得られる音声信号の適切な補正を行うことができる。
【００１０】
第２の発明に係る受信装置は、第１発明において、受信信号に基づいて求められる前記周波数帯域毎の音量レベルに対応する機種情報が、記憶手段において存在するか否かを判定する第１の判定手段と、対応機種情報が存在する旨の判定がなされた場合に、受信信号に含まれる送信装置の識別情報を、その機種情報に対応付けて記憶手段に記憶する手段と、受信信号に含まれる送信装置の識別情報が、記憶手段において存在するか否かを判定する第２の判定手段と、送信装置の識別情報が存在する旨の判定がなされた場合に、その識別情報に対応する機種情報中の音質補正値を、受信信号に基づいて得られる音声信号の音質補正に使用することができる音質補正値として取得する手段とを有することを特徴とする。
【００１１】
第３の発明に係る受信装置は、第２発明において、対応機種情報が存在する旨の判定がなされなかった場合には再度、演算手段により前記周波数帯域毎の音量レベルを求め、第１判定手段による判定を行う処理を所定の回数繰り返す手段を備え、その処理を該所定回数繰り返しても、対応機種情報が存在する旨の判定がなされなかった場合には、受信信号に基づいて得られる音声信号の音質の補正は行わないことを特徴とする。
【００１２】
第４の発明に係る受信装置は、第１〜第３のいずれかの発明において、受信信号について得られる音質補正値に基づき、その受信信号に基づいて得られる音声信号の音質を補正する手段を有することを特徴とする。
【００１３】
第５の発明に係る受信音声信号の補正方は、所定の送信装置の各機種について、その機種の送信装置からの信号を受信して得られる音声信号が有するであろう、所定の周波数帯域毎の音量レベル、及びその音声信号の音質の補正に適した所定の音質補正値を、その機種の機種情報として記憶手段に記憶させる工程と、受信信号に基づいて得られる音声信号をＦＦＴ変換し、前記周波数帯域毎の音量レベルを求める演算工程と、受信信号に基づいて求められる前記周波数帯域毎の音量レベルに対応する機種情報が、記憶手段において存在するか否かを判定する工程と、対応機種情報が存在する旨の判定がなされた場合に、受信信号に含まれる送信装置の識別情報を、その機種情報に対応付けて記憶手段に記憶させるとともに、その機種情報中の音質補正値を、受信信号に基づいて得られる音声信号の音質補正に使用することができる音質補正値として取得する工程と、受信信号に含まれる送信装置の識別情報が、記憶手段において存在するか否かを判定する工程と、送信装置の識別情報が存在する旨の判定がなされた場合に、その識別情報に対応する機種情報中の音質補正値を、受信信号に基づいて得られる音声信号の音質補正に使用することができる音質補正値として取得する工程と、受信信号に基づいて得られる音声信号の音質補正を、取得した音質補正値に基づいて行う工程とを具備することを特徴とする。
【発明の効果】
【００１４】
本発明によれば、予め機種情報として登録した所定周波数帯域毎の音量レベル及び音質補正値を参照し、受信信号に基づいて得られる音声信号の前記周波数帯域毎の音量レベルに基づいてその受信信号を送信している送信装置の機種を特定し、その音声信号の音質補正値を取得するようにしたため、簡便な構成により、ユーザの操作を要することなく、受信音声信号の音質補正を行うことができる。
【００１５】
また、機種が判明した送信装置の識別情報を、その機種の機種情報に対応付けて登録しておき、識別情報が登録してある送信装置からの受信音声信号については直ちに音質補正値を取得することができるようにしたため、一度受信を行った送信装置であって機種情報が登録されているものについては、機種を特定するためのＦＦＴ変換を要することなく音質補正を行うことができる。
【発明を実施するための最良の形態】
【００１６】
図１は本発明の一実施形態に係る無線通話装置の構成を示すブロック図である。同図に示すようにこの装置は、アンテナで受信された電波について周波数弁別等を行う受信部１１、受信部１１からの復調波に基づきデジタル音声信号を出力するＤＳＰ（デジタル・シグナル・プロセッサ）１２、ＤＳＰ１２からのデジタル音声信号をアナログ音声信号に変換するＤ／Ａ変換器１３、Ｄ／Ａ変換器１３からの音声信号を音波に変換するスピーカ、装置の各部を制御するＣＰＵ１５、並びにＣＰＵ１５に接続されたＲＯＭ１６及びＥＥ−ＰＲＯＭ１７を備える。
【００１７】
ＤＳＰ１２は受信信号に基づいて得られる音声信号について所定時間ＦＦＴ（高速フーリエ変換）を行うことにより、所定の低域、中域、及び高域の周波数帯域に３分割し、各周波数帯域の平均音量レベル（以下、「３分割平均音量レベル」という。）を取得することができる。
【００１８】
ＲＯＭ１６には、「モデル名」、「３分割平均音量レベル」、及び「音質補正値」の項目からなる各レコードにより構成されたモデルテーブルが設けられている。すなわち各レコードには、適当な各機種の無線通話装置について、そのモデル名、そのモデル名の機種の無線通話装置からの送話を受話する場合の受信信号が有するであろう３分割平均音量レベル、並びに受話音質の補正に使用する音質補正値が記憶されている。
【００１９】
ＤＳＰ１２は受信する音声信号について、所定の各帯域を通過させるデジタルフィルタを構成している。ＣＰＵ１５は受信した音声信号について、相手側装置の機種に対応する音質補正値に基づき、各デジタルフィルタのフィルタ係数を制御することにより、受信した音声信号の音質を補正することができる。
【００２０】
ＥＥ−ＰＲＯＭ１７には、「ＩＤ」及び「ポインタ」の項目からなる各レコードにより構成されたＩＤテーブルが設けられている。すなわち各レコードには、過去に受信し、かつそのモデル名がＲＯＭ１６のモデルテーブルに登録されている相手側の無線通話装置について、受信信号に含まれていたその無線通話装置を識別するためのＩＤ（識別情報）、及びＲＯＭ１６中の当該モデル名のレコードに対するポインタが記憶される。
【００２１】
図２は図１の装置における処理の一部を示すフローチャートである。この処理は、着信があった場合に行われる。着信があると、まず、ステップ２１において、通話のための処理を開始する。すなわち、受信される電波について復調を行い、受話音声の出力を開始する。次に、ステップ２２において、受信した相手側装置のＩＤ（識別情報）がＩＤテーブル中に存在するか否かを判定する。相手側装置のＩＤがＩＤテーブル中に存在するということは、過去にその相手側と通話したことがあり、かつその通話に際し、相手側装置の機種に対応する音質補正値に基づく音質の補正がなされた受話が行われたことを意味する。
【００２２】
ステップ２２において相手側装置のＩＤがＩＤテーブル中に存在すると判定した場合にはステップ２３へ進み、そのＩＤのレコード内のポインタが指し示すモデルテーブル中のレコードにおける音質補正値を読み出す。次に、ステップ２４及び２５において、読み出した音質補正値に基づき、ＣＰＵ１５はＤＳＰ１２を制御し、受信する音声信号の音質を補正する。これにより、ユーザは音質が自動的に補正された自動音質補正通話を行うことができる。
【００２３】
一方、ステップ２２において相手側装置のＩＤがＩＤテーブル中に存在しないと判定した場合には、ステップ２６へ進み、復調して得られる音声信号について、５秒間ＦＦＴ演算を施すことにより、所定の周波数帯域に３分割し、３分割平均音量レベルを求める。次に、ステップ２７において、求めた３分割各平均音量レベルと、各帯域の音量レベルの比が一致する３分割平均音量レベルが、モデルテーブル中に登録されているか否かを判定する。
【００２４】
登録されていると判定した場合には、その一致する３分割平均音量レベルのレコード中のモデル名の機種が相手側装置の機種であり、それを特定することができたことになる。この場合にはステップ２８へ進み、相手側装置のＩＤ及びモデルテーブル中の当該レコードへのポインタで構成される新たなレコードをＩＤテーブルに登録する。次に、ステップ２４へ進み、モデルテーブル中の当該レコードの音質補正値に基づき、上述と同様にＤＳＰ１２を制御して、自動音質補正通話を可能とする（ステップ２４、２５）。
【００２５】
ステップ２７において対応する３分割平均音量レベルが登録されていないと判定した場合には、ステップ２６へ戻り、再度、ステップ２６のＦＦＴ演算及びステップ２７におけるモデルテーブルの検索を行う。該当するレコードがモデルテーブル中に存在すると判定した場合には、上述と同様に、ステップ２８へ進んでＩＤ及びポインタの登録を行い（ステップ２８）、音質自動補正通話を可能とする（ステップ２４、２５）。
【００２６】
ただし、ステップ２６及び２７におけるＦＦＴ演算及び判定を３回行っても、該当するレコードを見出すことができない場合には、その旨がステップ２９において判定され、相手側装置の機種については、その情報がモデルテーブルには登録されていないとみなす。すなわちこの場合、ステップ２６へ戻ることなく、ステップ３０へ進み、音質補正を行うことなく、通話のための処理が続行されることになる。
【００２７】
本実施形態によれば、相手側の無線通話装置の機種をＲＯＭ１６中のモデルテーブルを参照して特定し、モデルテーブル中の対応するレコードにおける音質補正値に基づいて受話音の音質の補正を行うようにしたため、使用者の操作を要することなく、違和感のない音質で通話を行うことができる。また、一度通話を行ってＩＤテーブルに登録された相手側装置については、次回の通話からは、ＦＦＴ演算を行う必要なく、ＩＤテーブルに基づき、直接モデルテーブルを参照し、音質補正値を取得して、音質が補正された通話を可能にすることができる。
【００２８】
なお、本発明は上述の実施形態に限定されることなく、適宜変形して実施することができる。たとえば、上述においては、無線通話装置に対して本発明を適用した例を説明したが、この代わりに、ＩＰ通信による通話に際し、本発明を適用するようにしてもよい。また、上述においては特に言及はしなかったが、本発明は、通話することができる相手側装置の機種が比較的少ない場合にも適している。
【図面の簡単な説明】
【００２９】
【図１】本発明の一実施形態に係る無線通話装置の構成を示すブロック図である。
【図２】図１の装置における処理の一部を示すフローチャートである。
【符号の説明】
【００３０】
１１：受信部、１２：ＤＳＰ、１３：Ｄ／Ａ変換器、１４：スピーカ、１５：ＣＰＵ、１６：ＲＯＭ、１７：ＥＥ−ＰＲＯＭ。
【図１】
2007184820.tif 000003
【図２】
2007184820.tif 000004